(57)【要約】【課題】楽に光源の交換ができ、反射鏡が光源を覆う傾斜角を増大可能な省エネルギー型照明灯を提供する。【解決手段】ベース１内に光源１２が設けられ、ベース１の内壁に楕円形球面の反射鏡１３が設けられる。反射鏡１３は幾つかの連続する矩形の反射シート１３１からなり、一つ一つの反射シート１３１の長さはその幅より大きく、反射シート１３１の断面は弧形を呈する。また反射鏡１３の上において設けられる内へ窪んで曲面状の反射領域１４の内壁には、連続するひだ状の反射面１４１が設けられる。【選択図】図１
0003139610.tif 000002
【実用新案登録請求の範囲】
【請求項１】
ベースを備え、
前記ベース内に光源が設けられ、
前記ベースの内壁に曲面状の反射鏡が設けられ、前記反射鏡は幾つかの連続する矩形の反射シートからなり、一つ一つの前記反射シートにおいてその長さはその幅より大きく、前記反射シートの断面は弧形を呈し、
前記反射鏡の上において内へ窪んで曲面のある反射領域が設けられ、前記反射領域の内壁には連続するひだ状の反射面が設けられることを特徴とする省エネルギー型照明灯。
【請求項２】
前記光源は省エネルギー型の蛍光管であることを特徴とする請求項1に記載の省エネルギー型照明灯。
【請求項３】
前記ベースの内壁には相対する電気ソケットが設けられるため、前記光源を前記電気ソケットの中に差し込むことが可能であることを特徴とする請求項１に記載の省エネルギー型照明灯。
【請求項４】
前記光源の照射焦点は光軸の前進方向に沿って前方四メートルの所に集中することを特徴とする請求項１に記載の省エネルギー型照明灯。
【請求項５】
前記反射シートの短辺は地面と垂直になり、前記反射シートの長辺は地面と平行になることを特徴とする請求項１に記載の省エネルギー型照明灯。
【請求項６】
前記反射領域の端に延びる開口端は前記反射鏡の端に延びる開口端より大きいことを特徴とする請求項１に記載の省エネルギー型照明灯。
【考案の詳細な説明】
【技術分野】
【０００１】
本考案は、反射鏡を備えた省エネルギー型照明灯に関する。
【背景技術】
【０００２】
一般に使用されている照明灯の構造は、図６に示すように、ベースＡの内壁には表面に幾つかの突出点を有する反射シートＡ１が設けられ、またベースＡ内に双接点の強力蛍光管Ａ２が設けられ、さらにベースＡの下方にセンサーＡ３が設けられている。夜または暗いとき、人がベースＡの前を通ると、センサーＡ３に検出されて、強力蛍光管Ａ２は点灯するように触発され、更に反射シートＡ１と合わせてその光線を放射することにより、照明・警告として用いられる。
【０００３】
このような構造では、強力蛍光管Ａ２を照明のために取付けるため、相当電力がかかって浪費となり、また反射シートＡ１には僅か数個の突出点しか設けていないほか、その反射面は大きな傾斜角をもつ斜面であるため、その反射効率がよくなく、照明度も足りないことで使用上理想とはいえない。
【考案の開示】
【考案が解決しようとする課題】
【０００４】
本考案の目的は、楽に光源の交換が可能であり、かつ反射鏡が光源を覆う傾斜角の増大も可能な省エネルギー型照明灯を提供することである。
本考案のもう一つの目的は、光源に遮られて反射できないことがない省エネルギー型照明灯を提供することである。
【０００５】
本考案のさらにもう一つの目的は、反射する光線を光源の前方四メートルの所に矩形光場になるように集中させ、より優れた照明効果に達する省エネルギー型照明灯を提供することである。
本考案のさらにもう一つの目的は、大幅に電気及び費用が節約でき、照明度も向上でき、場所を問わずに取付け可能となる省エネルギー型照明灯を提供することである。
【課題を解決するための手段】
【０００６】
上記目的を達成するため、本考案に係る省エネルギー型照明灯は、ベース内に光源が設けられ、主にベースの内壁に曲面状の反射鏡が設けられ、この反射鏡は幾つかの連続する矩形の反射シートからなり、一つ一つの反射シートの長さはその幅より大きく、この反射シートの断面は弧形を呈し、また反射鏡の上において内へ窪んで曲面のある反射領域が設けられ、この反射領域の内壁には連続するひだ状の反射面が設けられる。
【０００７】
この光源は省エネルギー型蛍光管である。ベースの内壁に相対する電気ソケットが設けられ、光源をその中に差し込む。この光源の照射焦点は、光軸の前進方向に沿って前方四メートルの所に集中する。反射シートの短辺は地面と垂直になり、その長辺は地面と平行になる。この反射領域の端まで延びる開口端は、反射鏡の端まで延びる開口端より大きい。
【０００８】
本考案では次のような長所がある。
（１）本考案では、反射鏡において内へ窪んで反射領域を設けるため、光源を反射領域に近い位置に設けることができ、光源を交換するとき、反射鏡と干渉せず楽に光源の交換ができる。さらに反射鏡が光源を覆う傾斜角も増大できる。
（２）本考案では、反射領域の反射面を利用して光源の背面から出す光線を集中して反射させることができるため、光源に遮られて反射できないことをなくす。
【０００９】
（３）本考案では、照射面が矩形範囲になる場所と合わせられるため、反射する光線を光源の前方四メートルの所に矩形光場になるように集中させることができ、より優れた照明効果に達する。
（４）本考案では、省エネルギー型蛍光管を光源にし、かつ反射鏡及び反射領域の設置と合わせることにより、大幅に電気及び費用が節約でき、照明度も向上でき、場所を問わずに取付け可能となる。
【考案を実施するための最良の形態】
【００１０】
（一実施形態）
図１及び図２に示すように、本考案の一実施形態による省エネルギー型照明灯は、矩形を呈するベース１が設けられ、ベース１の内壁に相対する電気ソケット１１が設けられ、光源１２を設ける。光源１２は、省エネルギー型蛍光管であり、また双接点になるため、ベース１内にある電気ソケット１１に差し込んで固定可能である。
【００１１】
光源１２の照射焦点は、光軸の前進方向に沿って前方四メートルの所に集中し、これは本実施形態における照明度の最もよい距離である。またベース１の内壁に楕円形球面の如き曲面状の反射鏡１３が設けられ、反射鏡１３は幾つかの連続する矩形の反射シート１３１からなる。一つ一つの反射シート１３１の短辺は地面と垂直であり、長辺は地面と平行であり、その中において、長さはその幅より大きい。
【００１２】
また図３に示すように、反射シート１３１の断面形状は弧形であり、即ち中央が隆起して周りへ窪んでいく形状である。さらに反射鏡１３の上には、内へ窪んで楕円形球面の如き曲面状の反射領域１４が設けてあるため、光源１２を反射領域１４内に深く入れることができる。さらに反射領域１４の内壁には連続するひだ状の反射面１４１が設けてあり、図４に示すように、反射領域１４の端まで延びる開口端Ｌ１は反射鏡１３の端まで延びる開口端Ｌ２より大きい。
【００１３】
使用する時、図５に示すように、光源１２が検知を受けて触発され点灯したら、光源１２を反射領域１４の近くに設置するため、光源１２を交換する場合、反射鏡１３と干渉せず楽に交換できる。さらに反射鏡１３が光源１２を覆う傾斜角も増大できる。さらに反射領域１４の反射面１４１によって光源１２の背面から出す光線を集中的に反射させることができるため、光源１２に遮られて反射できないことがなくなる。
【００１４】
さらに、光源１２から光線を出したら反射領域１４の反射面１４１によって集中反射する。この光線は、反射鏡１３の上側と下側とにある反射シート１３１に反射してから上側と下側とにある反射シート１３１によって二次反射する。それらの反射鏡１３の反射シート１３１は皆矩形を呈するため、反射される光線を光源１２の前方四メートルの所に矩形の光場となるように集中でき、照射面の矩形範囲の場所と合わせながら最も優れた照明効果を収める。
【００１５】
本考案は、前述した実施形態に限らず、考案の要旨を変更しない範囲で変更可能な実施形態を採る。
【図面の簡単な説明】
【００１６】
【図１】本考案の一実施形態による省エネルギー型照明灯を示す分解斜視図である。
【図２】本考案の一実施形態による省エネルギー型照明灯を示す斜視図である。
【図３】本考案の一実施形態による省エネルギー型照明灯を示す断面図である。
【図４】本考案の一実施形態による省エネルギー型照明灯において、反射領域の開口端と反射鏡の開口端とを示す模式図である。
【図５】本考案の一実施形態による省エネルギー型照明灯において、光線の反射径路を示す模式図である。
【図６】従来の照明灯の構造を示す模式図である。
【符号の説明】
【００１７】
１：ベース、１１：電気ソケット、１２：光源、１３：反射鏡、１３１：反射シート、１４：反射領域、１４１：反射面、Ｌ１：反射領域の開口端、Ｌ２：反射鏡の開口端
【図１】
0003139610.tif 000003
【図２】
0003139610.tif 000004
【図３】
0003139610.tif 000005
【図４】
0003139610.tif 000006
【図５】
0003139610.tif 000007
【図６】
0003139610.tif 000008